(57)【要約】 【課題】パッティングする際良好なスタンスを提供できるパターを提供する。【解決手段】  本発明のパターは、パターヘッドとシャフトを有する。前記パターヘッドは、パッティング面と、前記パッティング面に直交し、パッティング・ラインを含む垂直面に対し対称に配置した２本の合わせマークと、前記合わせマークの面よりも高い面に配置したブロッキング面とを有する。前記ブロッキング面は合わせマークよりも狭く、前記合わせマークは、前記ブロッキング面から識別可能である。前記合わせマークは、着色領域にあり、前記垂直面から下方を見たときに、前記合わせマークのブロッキング面によりブロックされずに見える部分は、前記垂直面に対し対称であり、前記垂直面からずれて下側を見たときには、前記合わせマークのブロッキング面を通して見える部分は、垂直面に対し対称ではない。【選択図】  図２
2010528690.tif 000002
【特許請求の範囲】
【請求項１】
パターヘッド（１）とシャフト（２）を有するパターにおいて、
前記パターヘッド（１）は、
パッティング面と、
前記パッティング面に直交し、パッティング・ラインを含む垂直面に対し対称に配置した２本の合わせマークと、
前記合わせマークの面よりも高い面に配置したブロッキング面と、
を有し、
前記ブロッキング面は、前記２本の合わせマークの間の間隔よりも狭く、
前記合わせマークは、前記ブロッキング面から識別可能であり、
前記合わせマークは、着色領域にあり、前記垂直面から下方を見たときは、前記合わせマークのブロッキング面によりブロックされずに見える部分は、前記垂直面に対し対称に見え、前記垂直面からずれて下方を見たときは、前記合わせマークのブロッキング面を回避して見える部分は、垂直面に対し非対称に見える
ことを特徴とするパター。
【請求項２】
前記ブロッキング面は、前記合わせマークの面から上方に伸びるブロックの上部表面である
ことを特徴とする請求項１記載のパター。
【請求項３】
前記ブロックは、凹部により２つの部分に分離されている
ことを特徴とする請求項２記載のパター。
【請求項４】
ステップが、前記ブロックと合わせマークの面との間に配置される
ことを特徴とする請求項１記載のパター。
【請求項５】
パターヘッド（１）とシャフト（２）を有するパターにおいて、
前記パターヘッド（１）は、
パッティング面と、
前記パッティング面に直交し、パッティング・ラインを含む垂直面に対し対称に配置された２本の合わせマークと、
前記合わせマークの面よりも高い面に配置したブロッキング面と、
を有し、
前記合わせマークは、前記ブロッキング面から識別可能であり、
前記合わせマークは、前記垂直面に対し対称に配置され、上方に伸びる２つの面内に配置され、
前記合わせマークは、着色領域にあり、前記垂直面から下方を見たときに、前記合わせマークは、前記垂直面に対し対称に見え、前記垂直面からずれて下側を見たときには、前記合わせマークは、前記垂直面に対し非対称に見える
ことを特徴とするパター。
【請求項６】
前記２つの面は、前記垂直面に対し傾斜して上方に伸びる
ことを特徴とする請求項５記載のパター。
【請求項７】
パターヘッド（１）とシャフト（２）とを有するパターの製造方法において、
前記パターヘッド（１）は、パッティング面を有し、
（Ａ）前記パッティング面に直交しパッティング・ラインを含む垂直面に対し対称に、２本の合わせマークを配置するステップと、
（Ｂ）前記合わせマークの面より高い面にブロッキング面を配置するステップと、
前記ブロッキング面は、前記２本の合わせマークの間の間隔よりも狭く、前記合わせマークはブロッキング面から識別可能であり、
を有し、
前記合わせマークは、着色領域にあり、前記垂直面から下方を見たときに、前記合わせマークのブロッキング面によりブロックされずに見える部分は、前記垂直面に対し対称に見え、前記垂直面からずれて下側を見たときには、前記合わせマークのブロッキング面を回避して見える部分は、垂直面に対し非対称に見える
ことを特徴とするパターの製造方法。
【請求項８】
前記ブロッキング面は、前記合わせマークの面から上方に伸びるブロックの上部表面である
ことを特徴とする請求項７記載のパターの製造方法。
【請求項９】
前記ブロックは、凹部により２つの部分に分離されている
ことを特徴とする請求項８記載のパターの製造方法。
【請求項１０】
ステップが、前記ブロックと合わせマークの面の間に配置される
ことを特徴とする請求項７記載のパターの製造方法。
【請求項１１】
パターヘッド（１）とシャフト（２）とを有するパターの製造方法において、
前記パターヘッド（１）は、パッティング面を有し、
（Ａ）前記パッティング面に直交し、パッティング・ラインを通る垂直面に対し対称に２本の合わせマークを配置するステップと、
（Ｂ）前記合わせマークの面より高い面にブロッキング面を配置するステップと、
前記合わせマークはブロッキング面から識別可能であり、
を有し、
前記合わせマークは、前記垂直面に対し対称に配置され上方に伸びる２つの面内に配置され、
前記合わせマークは、着色領域にあり、前記垂直面から下方を見たときに、前記合わせマークは、前記垂直面に対し対称に見え、前記垂直面からずれて下側を見たときには、前記合わせマークは、前記垂直面に対し非対称に見える
ことを特徴とするパターの製造方法。
【請求項１２】
前記２つの面は、前記垂直面に対し傾斜して上方に伸びる
ことを特徴とする請求項１１記載のパターの製造方法。
【発明の詳細な説明】
【技術分野】
【０００１】
本発明は、ゴルフ用具のパターに関する。
【背景技術】
【０００２】
パッティングが上手くなるために、図１を参照して説明すると、プレイヤーの目３３はパッティング・ライン３１の上に正確にこなければならない。それにより、ゴルフのプレイヤーは、ボール３４と、パター１の上の中央合わせマーク４と、カップ３２とが一直線上にくるように見る。即ち、中央合わせマーク４とパッティング・ライン３１が一致する。さもないと、パッティングされたボール３４は、プレイヤーの意図しない方向に行ってしまう。このような機能を有するパターは市販されていない。
【０００３】
通常ゴルフのコーチは初心者に次のようにアドバイスする。ゴルフのプレーヤーの目３３の位置とパッティング・ライン３１とが一致している（整合している）か否かを見出すために、目の位置から落とした第２のボールがパッティングすべき第１のボールに当たるかを確かめるようアドバイスする。
【発明の概要】
【発明が解決しようとする課題】
【０００４】
本発明の目的は、プレイヤーの目をボールの右側上部とパッティング・ラインに正確に合わせて、プレイヤーがパッティングする際、良好なパッティング。スタンスを提供できるパターを提供することである。
【課題を解決するための手段】
【０００５】
本発明は、パターのヘッド上に、異なる高さの２個の合わせマークを有するパターを提供する。一方の合わせマークは、上方の合わせマーク（ブロッキング面）５であり、他方の合わせマークは下方の合わせマーク６である。これ等のマーク５，６は、異なる色で、或いは目で容易に識別できるように構成される。例えば、異なる色で着色したり、段差を設けたり、或いは異なる材料で構成する。その結果、プレイヤーがパッティング・スタンスを決めると、プレイヤーは、合わせマーク６を合わせマーク５を通して認識し、ラインが合っているか否かを決定できる。
【０００６】
プレイヤーが、正しい整合となる正しいスタンスを採ると、プレイヤーの目３３は、パッティング・ライン３１の中心の右側上にあり、プレイヤーは、パターヘッドのトウ側（Ｔ）とヒール側（Ｈ）の合わせマークを、等しい幅（Ｈ＝Ｔ）で、見ることができる。
【０００７】
しかし、プレイヤーが、間違った整合となる間違ったスタンスを採ると、プレイヤーの目３３は、パッティング・ライン３１の中心上にはなく、その結果、プレイヤーは、パターヘッドのトウ側（Ｔ）とヒール側（Ｈ）の合わせマークを、異なる幅（Ｈ＞Ｔ又はＨ＜Ｔ）で、見ることになる。これは、上方の合わせマーク（ブロッキング面）５でカバーされる見えない部分が存在するからである。
【０００８】
本発明のパターは、パターヘッドとシャフトを有する。前記パターヘッドは、パッティング面と、前記パッティング面に直交し、パッティング・ラインを含む垂直面に対し対称に配置した２本の合わせマークと、前記合わせマークの面よりも高い面に配置したブロッキング面とを有する。前記ブロッキング面は合わせマークよりも狭く、前記合わせマークは、前記ブロッキング面から識別可能である。前記合わせマークは、着色領域にあり、前記垂直面から下方を見たときに、前記合わせマークのブロッキング面によりブロックされずに見える部分は、前記垂直面に対し対称であり、前記垂直面からずれて下側を見たときには、前記合わせマークのブロッキング面を通して見える部分は、垂直面に対し対称ではない。
【０００９】
本発明の一実施例によれば、合わせマークは同一の水平面にあり、合わせマークよりも狭い幅のブロッキング面が、合わせマークの面に平行でその面より高い位置にある。
【００１０】
本発明の一実施例によれば、前記ブロッキング面は、前記合わせマークの面から上方に伸びるブロックの上部表面である。
【００１１】
本発明の一実施例によれば、ステップが前記ブロックと合わせマークの面の間に配置される。
【００１２】
本発明の一実施例によれば、ブロックは、底部面が上部面よりも広い台形をしている。合わせマークはブロックの両方の表面に描かれる。
【００１３】
本発明の他の実施例においては、合わせマークはそれぞれ２つの面に配置される。この２つの面は水平面に対し対称で上方向に伸びる。
【００１４】
本発明のパターはパターヘッドとシャフトを有する。前記パターヘッドはパッティング面を有する。水平面がパターヘッドに形成され、ブロックがこの水平面より上で且つそれに平行に形成され、パッティング面に直交し、パッティング・ラインを通過する垂直面に対し対称に形成される。このブロックはその中を伸びる溝を有する。この溝は、垂直面に対し対称である。
合わせマークが、溝の垂直突起部に配置され、溝の幅とほぼ等しい幅を有する。合わせマークは垂直面に対し対称である。更なるマークが、合わせマークの各側の傍に配置される。この更なるマークは合わせマークとは異なる。
【００１５】
本発明はパターの製造方法を提供する。この方法により提供されるパターは、シャフトとパッティング面を有するパターヘッドとを有する。本発明のパターの製造方法は、      （Ａ）前記パッティング面に直交しパッティング・ラインを含む垂直面に対し対称に、２本の合わせマークを配置するステップを有する。前記合わせマークは、前記垂直面から下方を見たときに、前記合わせマークのブロッキング面によりブロックされずに見える部分は、前記垂直面に対し対称に見え、前記垂直面からずれて下側を見たときには、前記合わせマークのブロッキング面を回避して見える部分は、垂直面に対し非対称に見える。
【００１６】
本発明はパターの製造方法を提供する。この方法により提供されるパターは、シャフトとパッティング面を有するパターヘッドとを有する。本発明のパターの製造方法は、（Ａ）パターヘッドに水平面８を配置するステップと、（Ｂ）この水平面８の上方にブロックを垂直面に平行且つ対称に配置するステップと、垂直面はパッティング面に直交し、パッティング・ラインを通過し、（Ｃ）ブロックにそしてその中を伸びる溝を形成するステップと、この溝は垂直面に対し対称であり、（Ｄ）合わせマークを面上の溝の垂直突起部上に配置するステップと、合わせマークは溝の幅とほぼ等しい幅を有し、垂直面に対し対称である、（Ｅ）更なるマークを合わせマークの各側の傍に配置するステップとを含む。更なるマークは合わせマークとは異なる。
【図面の簡単な説明】
【００１７】
【図１】パッティング時の位置合わせを表す図。
【図２】本発明のパターヘッドを表す図。
【図３】本発明のパターヘッドの上面図。
【図４】本発明のパターヘッドの裏面図。
【図５】本発明のパターヘッドのヒール側から見た図。
【図６】本発明のパターヘッドの詳細図。
【図７ａ】本発明の基本原理を表す図。
【図７ｂｃ】本発明の基本原理を表す図。
【図８】本発明の他の実施例を表す図。
【図９】本発明の他の実施例を表す図。
【図１０】本発明の他の実施例を表す図。
【図１１】本発明の他の実施例を表す図。
【図１２】本発明の他の実施例を表す図。
【図１３】本発明の他の実施例を表す図。
【図１４】本発明の他の実施例を表す図。
【図１５】本発明の他の実施例を表す図。
【図１６】本発明の他の実施例を表す図。
【発明を実施するための形態】
【００１８】
図１に示すように、パターは、パターヘッド１と、シャフト２と、シャフト・グリップ３とから構成される。同図は、ホール（カップ）３２と、ボール３４と、中央合わせマーク４とパッティング・ラインが一致して、パッティングを行っている状態を示す。この際プレイヤーの目３３は、パッティング・ライン３１の中心の上部で一直線上になっていなければならない。
【００１９】
通常パターヘッド１は、ボールを打つフロント−エンド表面（パッティング面）と、後部面と、２つの側面（ヒールとトウと称する）とを有する。従来のパターヘッドは、パターヘッドの上部上の中央合わせマーク４を有し、これをパッティング・ラインと一致させていた。
【００２０】
図２は、本発明のパターの実施例を示す。中央合わせマーク４が、パターヘッド１の上部面１１の上にある。中央合わせマーク４が、正しく合っている場合には、パッティング・ライン（理論的）と一直線上にある。単純化した状況においては、上部面１１がパッティング面と直交し、中央合わせマーク４がパッティング面と直交する。ブロック１０がパターヘッドの後部部分に形成される。ブロック１０は、中央合わせマーク（ライン）４を通る垂直面２０に対し対称である（図６）。即ち、パッティング・ライン３１は、垂直な面内にある。同図に示すように、ブロック１０はパッティング面と面一である。しかしブロック１０はパッティング面と面一でなくてもよい。ブロック１０の上部面１１が、ブロッキング面５として形成される。ブロック１０は、下側方向に伸びて面８でパターヘッドにつながる。言い換えると、ブロック１０は面８から上方向に伸び、パッティング面と面一である。２本の合わせマーク６が、面８のブロックの傍に対称に配置される。その結果、合わせマーク６は、垂直面に対し対称となる。追加のマーク７が合わせマーク６の傍に配置され、その結果、合わせマークは上から見た時に、識別しやすくなる。ブロック１０の側面１２は、その上にマークを有してもよい。ブロッキング面５は、合わせマーク６とは異なるマークを有する。
【００２１】
図３は、本発明のパターヘッドの上面図である。同図には、ブロッキング面５と、２本の合わせマーク６と、１本の中央合わせマーク４が示されている。
【００２２】
図４の４ａ−４ｃは、本発明のパターヘッドの後部面である。同図は、パターヘッドの様々な形状を示す。本発明においては、ブロッキング面５と合わせマーク６とでは高さが異なる。即ち、ブロッキング面５は合わせマーク６より高い位置にある。その結果、ブロッキング面５は、上から見た時に、合わせマーク６のある部分をブロックする。ブロッキング面５は、合わせマーク６の外側エッジの間の距離（間隔）よりも狭い。その結果、合わせマーク６は、ブロッキング面５で完全にはブロックされることはない。図４ａは図２の実施例を示す。別の構成として、図４ｂ、６に示すように、ステップ１３を面８とブロックの間に形成してもよい。ステップの各表面は、異なるマークを有する。ステップは、垂直面に対し対称に配置される。図４ｃは台形をしたブロック１０を示す。図４ａ−４ｃによれば、ブロック１０は、パッティング面と面一である。しかしブロック１０の高さは、パッティング面の幅よりも大きくてもよい。
【００２３】
図５は本発明のパターヘッドのヒール側から見た図を示す。上の図には、ステップがあるが下の図にはステップがない。
【００２４】
図６に本発明の原理を示す。ブロッキング面５と合わせマーク６の各部分は、後側から見た図である。同図から判るように、ブロッキング面５は垂直面２０に対し対称である。それ故に距離ＣとＤは等しい。即ちＣ＝Ｄである。距離Ｃは、左エッジと垂直面２０との間の距離であり、距離Ｄは、右エッジと垂直面２０との間の距離である。つまり、距離ＣとＤは、それぞれブロッキング面５の左側エッジ或いは右側エッジから垂直面２０まで測った距離である。これは、正しい整合状態を示す。プレイヤーの目（Ｐ）は、パッティング・ラインと中央合わせマーク４と一直線上にある。以下その対称性故に、垂直面２０の一方の側のみ説明する。この実施例において、２個のステップ１３，１４が、ブロック１０と面８の間に形成されている。合わせマーク６がステップ１３の上に、追加のマーク７がステップ１４の上に形成されている。ブロッキング面５とステップ１３の高さの差により、ステップ１３のある部分は、上（即ちポイントＰ）から見た時に、ブロッキング面５によりブロックされる。このブロックされた（見えない）部分の幅は、幅Ａ（他の側ではＢ）で表し、ステップ１３の残りの（見える）部分は、幅Ｈ（他の側ではＴ）で表す。明らかに（Ａ＋Ｈ）＝（Ｂ＋Ｔ）である。その理由は、ステップ１３が垂直面２０に対し対称に配置されているからである。幅Ｈは、正しく一直線上にある場合には、幅Ｔに等しい。目はパッティング・ラインと中央の合わせマークと一直線上にある。ステップの高さは、適宜変えることができる。
【００２５】
図７ａ−７ｃは、本発明の基本原理を示し、本発明が実際のプレーに如何に適用されるかそしてプレイヤーの目が中央合わせマーク４の上、或いはパッティング・ラインの中心にあるかを決定する方法を示す。シャフトとパターの一部は、図面を簡潔にするために省いてある。
【００２６】
図７ａでは、ヒール側の合わせマークの幅Ｈがトウ側の合わせマークの幅Ｔに等しく見える。更に幅Ａと幅Ｂが等しく、幅Ｃと幅Ｄが等しい。
【００２７】
図７ｂと７ｃは、プレイヤーの目が中央合わせマーク４とパッティング・ラインと一直線上に無い場合のプレイヤーのラインの位置合わせが正しくない状態を示す。プレイヤーの目は、図７ｂの垂直面から左側（ヒール側）にずれている。それ故に、幅Ｈは幅Ｔよりも大きい。極端な場合幅Ｔはゼロとなる。つまり、ブロッキング面５が、完全に右側（トウ側）の合わせマーク６をブロックすると、幅Ｔは完全にゼロとなる。図７ｃにおいては、目は、中心面から右側（トウ側）にずれている。この状況においては、幅Ｈは幅Ｔよりも小さくなる。極端な場合、ブロッキング面５が左側の合わせマーク６を完全にブロックすると、幅Ｈはゼロとなる。言い換えると左側の合わせマーク６は見えなくなる。
【００２８】
図８−１０は、本発明の他の実施例を示し、パターヘッドが同一のコンセプト或いは同一のプレイヤーの位置合わせの判断方法を示す。
【００２９】
この実施例においては、ブロック１００，２００は、垂直面２０から等しい距離Ｌの位置に形成されている。ブロック１００，２００の内側表面は、合わせマーク１０１，２０１を有する。ブロック１００，２００は、合わせマーク１０１，２０１が或る高さを有するよう立体的に構成される。例えばブロックは、パッティング面と面一でもよい。本発明の一実施例においては、内側表面は垂直面２０に平行である。しかし内側表面と垂直面との間にある角度があり、内側表面の上部部分は垂直面２０から外側方向に傾斜してもよい。
【００３０】
図８は正しい整合を示す。目は、パッティング・ラインと一直線上にある。即ち垂直面２０内にある。この場合合わせマーク１０１，２０１の幅は、それぞれＨ’とＴ’である。そこでＨ’＝Ｔ’である。合わせマーク１０１，２０１は、背景から識別できる。即ち面８から識別できる。
【００３１】
図９，１０は、図８に示したのとは異なり、正しくない（不）整合を示す。これ等の図の目は、垂直面２０（即ちパッティング・ライン）から外れている。これ等の場合、上から見える合わせマークの幅は異なる。図９は、幅Ｔ’＝０の極端な場合を示し、図１０は、幅Ｈ’＝０の別の極端な場合を示す。
【００３２】
図１１−１３は、図２の実施例の変形例を示す。同図において、ブロック１０は、２つのブロック即ちブロック２１とブロック２２に分割されている。この場合、中央合わせマーク４は、面８の上に配置される。上部面１１は、正しい整合を示し、図１２、１３は、正しくない整合を示す。
【００３３】
図１４は、図２の実施例の変形例を示す。同図において、ブロック１０は、面８と接触する程は伸びていない。ブロック１０は、面８の上に飛び出している。同様にブロック１０は、上部表面を有する。この上部表面は、ブロッキング面として機能する。中央合わせマーク４は、上部表面に配置され、正しい整合位置にある時には、パッティング・ラインと一直線となる。合わせマーク６は一体品で形成される。追加のマーク７が、合わせマーク６の両側に配置される。図１４の右側の図は、不整合を示す。
【００３４】
図１５は、本発明の更なる実施例を示す。同図において、パターヘッド１はパッティング面を有するフロント部分を有する。パターヘッドの後部部分に切り欠き部分が形成されている。この切り欠き部分が面８を規定する。上記したように、ブロック１０は上部表面をブロッキング面として有する。このブロック１０は、或る高さで上部表面上方に配置される。ブロック１０は、面８に平行で、垂直面に直交する。垂直面はパッティング面に直交し、パッティング・ラインを通る。溝１５が、ブロック１０に形成され、そこを通して伸びる。この溝１５は、垂直面に対し対称である。溝１５はパッティング・ラインの方向に形成するのが好ましい。合わせマーク６が、面８上の溝の垂直部分上に配置され、溝１５の幅とほぼ等しい幅を有する。合わせマーク６も垂直面に対し対称である。追加のマーク７は、それぞれ合わせマークの各側に配置される。その為、垂直面内で上から見た場合、ユーザーは、合わせマーク６と追加のマーク７の一部を面８の各側に対称に見ることができる。
【００３５】
中央合わせマーク４は、合わせマーク６の中心に配置され、パターヘッド１の上部表面上を伸びる。中央合わせマーク４は合わせマーク６と同一でもよい。しかし中央合わせマーク４は、合わせマーク６から区別できるよう、違いを際立たせてもよい。
【００３６】
切り欠き部は必ずしも必要ではない。２つの平行な面を異なる高さにしてもよい。例えば、面８をパターヘッド１の上部表面に、ブロック１０を支持プレートを有するパターヘッド上方に配置してもよい。
【００３７】
図１６は、間違った整合を示す。垂直面からずれてみたときには、ユーザーは、合わせマーク６と追加のマーク７を対称に見ることはできない。
【００３８】
上記したマークは、合わせマーク６と、中央合わせマーク４と、追加のマーク７を含む。これ等は区別することの出来る適宜のマークである。これらのマークは、違う色が好ましい。例えば、合わせマーク６は黄色で、追加のマーク７はブラックである。
【００３９】
以上の説明は、本発明の一実施例に関するもので、この技術分野の当業者であれば、本発明の種々の変形例を考え得るが、それらはいずれも本発明の技術的範囲に包含される。特許請求の範囲の構成要素の後に記載した括弧内の番号は、図面の部品番号に対応し、発明の容易なる理解の為に付したものであり、発明を限定的に解釈するために用いてはならない。また、同一番号でも明細書と特許請求の範囲の部品名は必ずしも同一ではない。これは上記した理由による。用語「又は」に関して、例えば「Ａ又はＢ」は、「Ａのみ」、「Ｂのみ」ならず、「ＡとＢの両方」を選択することも含む。特に記載のない限り、装置又は手段の数は、単数か複数かを問わない。
【符号の説明】
【００４０】
１  パターヘッド
２  シャフト
３  シャフト・グリップ
４  中央合わせマーク
５  ブロッキング面
６  合わせマーク
７  追加のマーク
８  面
１０  ブロック
１１  上部面
１２  側面
１３  ステップ
１５  溝
２０  垂直面
２１，２２  ブロック
３１  パッティング・ライン
３２  目標のカップ
３３  プレイヤーの目
１００，２００  ブロック
１０１，２０１  合わせマーク
【図１】
2010528690.tif 000003
【図２】
2010528690.tif 000004
【図３】
2010528690.tif 000005
【図４】
2010528690.tif 000006
【図５】
2010528690.tif 000007
【図６】
2010528690.tif 000008
【図７ａ】
2010528690.tif 000009
【図７ｂｃ】
2010528690.tif 000010
【図８】
2010528690.tif 000011
【図９】
2010528690.tif 000012
【図１０】
2010528690.tif 000013
【図１１】
2010528690.tif 000014
【図１２】
2010528690.tif 000015
【図１３】
2010528690.tif 000016
【図１４】
2010528690.tif 000017
【図１５】
2010528690.tif 000018
【図１６】
2010528690.tif 000019
【国際調査報告】
2010528690.tif 000020
2010528690.tif 000021
2010528690.tif 000022
2010528690.tif 000023
2010528690.tif 000024
2010528690.tif 000025